(57)【要約】【課題】  所望するダンパ特性を容易に得ることのできるダンパ調整構造を有し、音質のよいスピーカユニットを安価で提供することを目的とする。【解決手段】  ボイスコイルボビンとスピーカフレームにそれぞれ固着されたダンパで、ボイスコイルボビンに固着された振動板が支持されるスピーカユニットにおいて、ダンパには、一方がダンパの円周方向の所定の位置に接着剤で固着され、他方がダンパ以外の構成部品に接着剤で固着されたダンパ特性調整部品が設けられていることを特徴とする。【選択図】  図１
2007088649.tif 000002
【特許請求の範囲】
【請求項１】
ボイスコイルボビンとスピーカフレームにそれぞれ固着されたダンパで、ボイスコイルボビンに固着された振動板が支持されるスピーカユニットにおいて、
前記ダンパには、一方が該ダンパの所定の位置に固着され、他方が該ダンパ以外の構成部品に固着されたダンパ特性調整手段が設けられていることを特徴とするスピーカユニット。
【請求項２】
ボイスコイルボビンとスピーカフレームにそれぞれ固着されたダンパで、ボイスコイルボビンに固着された振動板が支持されるスピーカユニットにおいて、
前記ボイスコイルボビンには、前記ダンパの内周縁部が固着できるように、ボイスコイルボビンから外周方向に延在する別体のダンパ固着部材が設けられていることを特徴とするスピーカユニット。
【請求項３】
前記スピーカフレームには、前記ダンパの外周縁部が固着できるように、該スピーカフレームから内周方向に延在する別体のダンパ固着部材設けられていることを特徴とする請求項２に記載のスピーカユニット。
【請求項４】
ボイスコイルボビンとスピーカフレームにそれぞれ固着されたダンパで、ボイスコイルボビンに固着された振動板が支持されるスピーカユニットにおいて、
前記スピーカフレームには、前記ダンパの外周縁部が固着できるように、該スピーカフレームから内周方向に延在する別体のダンパ固着部材が設けられていることを特徴とするスピーカユニット。
【請求項５】
ボイスコイルボビンとスピーカフレームにそれぞれ固着されたダンパで、ボイスコイルボビンに固着された振動板が支持されるスピーカユニットにおいて、
前記振動板には、前記ダンパの内周縁部が固着できるように、該振動板の裏面側より延在する別体のダンパ固着部材が設けられていることを特徴とするスピーカユニット。
【請求項６】
ボイスコイルボビンとスピーカフレームにそれぞれ固着されたダンパで、ボイスコイルボビンに固着された振動板が支持されるスピーカユニットにおいて、
前記ダンパには、所定の位置にダンパ特性を調整する環状のダンパ特性調整板が該ダンパの表面に固着されてなることを特徴とするスピーカユニット。
【請求項７】
前記ダンパ特性調整手段と前記振動板との間に配設された錦糸線が、該ダンパ特性調整手段に固定されてなることを特徴とする請求項１に記載のスピーカユニット。
【発明の詳細な説明】
【技術分野】
【０００１】
本発明は、スピーカユニットに係り、詳細には所望するダンパ特性を容易に得ることのできるダンパの調整構造に関する。
【背景技術】
【０００２】
従来のスピーカユニットを図１２を用いて説明する。図１２は従来のスピーカユニットを示す概略側断面図である。
【０００３】
１９はスピーカユニットで、図１２で示すように振動板２０、エッジ２１、ダンパ４０、ボイスコイル２６が巻回されたボイスコイルボビン２５、スピーカフレーム３０およびヨーク９１のセンターポール９２、環状のマグネット９５、トッププレート９６からなる磁気回路部９０などにより構成されている。
【０００４】
振動板２０は、略円錐筒状をしており円錐筒の小径部の内周縁部が、ボイスコイルボビン２５の先端部近傍に固着され、該円錐筒の大径部の外周縁部には弾性部材で形成されたエッジ２１の内周縁部が接着されている。また、振動板２０に接着されたエッジ２１の外周縁部がスピーカフレーム３０の前面開口部に形成されたエッジ固着部３１に固着される。
【０００５】
ダンパ４０は、混紡部材などが用いられ断面形状が波型に形成された環状の弾性体で、ダンパ４０の内周縁部４１が、磁気回路部９０の磁気ギャップ内に係合する部分にボイスコイル２６が巻回されたボイスコイルボビン２５に挿通し略中央部近傍に固着される。また、ダンパ４０の外周縁部４２が、スピーカフレーム３０のダンパ固着部３２に固着され、ボイスコイルボビン２５を弾性的に保持する。
【０００６】
スピーカフレーム３０は、円錐筒状に近い形状をしており、前面開口縁部にはエッジ固着部３１が形成され、スピーカフレーム３０の略中央部近傍にはダンパ固着部３２が形成されている。その他に、前面開口縁部には相手側部材に取付けるための取付部が設けられ取付け孔などが形成されている。尚、スピーカフレーム３０の終端部３３は、後述する磁気回路部９０のトッププレート９６の上面に固着されている。したがって、振動板２０はエッジ２１とダンパ４０の二つの弾性部材によりスピーカフレーム３０の内側に懸垂状態に保持される。
【０００７】
磁気回路部９０は、ヨーク９１のセンターポール９２と環状のマグネット９５とトッププレート９６とが同軸芯上に重ねられ固定された外磁型の磁気回路部９０を構成している。
【０００８】
この出願の発明に関する先行技術文献としては次のものがある。
【特許文献１】実開平５−９３１９６号
【発明の開示】
【発明が解決しようとする課題】
【０００９】
上述のスピーカユニット１９では、ダンパ４０の外径寸法がボイスコイルボビン２５の外径寸法とスピーカフレーム３０の寸法とにより規制され最適の径となっていない場合が多い。本来、所望のダンパ特性を得るためには材料の選定やコルゲーション形状などにより剛性、ステフネスの調整を行うのが通常であるが、ダンパ径の寸法的制約により調整幅に限界があり、最適のダンパ特性を得るのにはコスト的に問題が残る。
【００１０】
尚、本件に関する先行技術文献として特許文献１が開示されているが、楕円形スピーカの短径側のエッジに長径側より大きな変形ストレスがかかることなく、振動板を一様に支持し、ローリングやねじれを無くすために、ダンパの短径側の中心軸に対称となるように緩衝材を貼着したものであり、本発明とは構成が異なる。
【００１１】
本発明は上述の問題を解決するもので、所望するダンパ特性を容易に得ることのできるダンパ調整構造を有するスピーカユニットを提供することを目的とする。
【課題を解決するための手段】
【００１２】
本発明は上述の目的を達成するもので、ボイスコイルボビンとスピーカフレームにそれぞれ固着されたダンパで、ボイスコイルボビンに固着された振動板が支持されるスピーカユニットにおいて、前記ダンパには、一方が該ダンパの所定の位置に固着され、他方が該ダンパ以外の構成部品に固着されたダンパ特性調整手段が設けられていることを特徴とするものである。
【００１３】
また、ボイスコイルボビンとスピーカフレームにそれぞれ固着されたダンパで、ボイスコイルボビンに固着された振動板が支持されるスピーカユニットにおいて、前記ボイスコイルボビンには、前記ダンパの内周縁部が固着できるように、ボイスコイルボビンから外周方向に延在する別体のダンパ固着部材が設けられていることを特徴とするものである。
【００１４】
また、前記スピーカフレームには、前記ダンパの外周縁部が固着できるように、該スピーカフレームから内周方向に延在する別体のダンパ固着部材が設けられていることを特徴とするものである。
【００１５】
また、ボイスコイルボビンとスピーカフレームにそれぞれ固着されたダンパで、ボイスコイルボビンに固着された振動板が支持されるスピーカユニットにおいて、前記スピーカフレームには、前記ダンパの外周縁部が固着できるように、該スピーカフレームから内周方向に延在する別体のダンパ固着部材が設けられていることを特徴とするものである。
【００１６】
また、ボイスコイルボビンとスピーカフレームにそれぞれ固着されたダンパで、ボイスコイルボビンに固着された振動板が支持されるスピーカユニットにおいて、前記振動板には、前記ダンパの内周縁部が固着できるように、該振動板の裏面側より延在する別体のダンパ固着部材が設けられていることを特徴とするものである。
【００１７】
また、ボイスコイルボビンとスピーカフレームにそれぞれ固着されたダンパで、ボイスコイルボビンに固着された振動板が支持されるスピーカユニットにおいて、前記ダンパには、所定の位置にダンパ特性を調整する環状のダンパ特性調整板が該ダンパの表面に固着されてなることを特徴とするものである。
【００１８】
また、前記ダンパ特性調整手段と前記振動板との間に配設された錦糸線が、該ダンパ特性調整手段に固定されてなることを特徴とするものである。
【発明の効果】
【００１９】
以上説明したように本発明の請求項１によれば、ダンパ特性調整手段の一方がスピーカの振動板が固着されたボイスコイルボビンを保持するダンパの所定の位置に固着され、他方がダンパ以外の構成部品に固着されるので、ダンパの一部がボイスコイルボビンの振動に追従しない固定部となり、その他の部分が有効なダンパ機能を発揮するようにしたものである。したがって、追従しない固定部の範囲を増減することにより、所望するダンパ特性を容易に得ることのできるので、音質のよいスピーカユニットを低コストで提供することができる。
【００２０】
また、請求項２によれば、ボイスコイルボビンに固着され、外周方向に延在するダンパ固着部材の他方が、ダンパに固着されるので、ボイスコイルボビンとダンパに固着された範囲がボイスコイルボビンの振動に追従しない固定部となり、その他の部分が有効な部分となり最適なダンパ機能を発揮する。
【００２１】
また、請求項３によれば、スピーカフレームに固定され、内周方向に延在するダンパ固着部材に、ダンパの外周縁部が固着され、ダンパの内周縁部がボイスコイルボビンに固着されるので、ボイスコイルボビンとダンパ固着部材との間に設けられたダンパが可動範囲となり、ボイスコイルボビンの振動に追従する最適なダンパ機能を発揮する。
【００２２】
また、請求項４によれば、請求項２と請求項３を組合わせたもので、ボイスコイルボビンから外周方向、スピーカフレームから内周方向にそれぞれ延在する二つのダンパ固着部材との間の範囲がボイスコイルボビンの振動に追従する有効な部分となり最適なダンパ機能を発揮できる大きさのダンパを用いることができる。
【００２３】
また、請求項５によれば、振動板の裏面側より延在するダンパ固着部材にダンパの内周縁部が固着されダンパの外周縁部がスピーカフレームに固着される構成となっているので、最適なダンパ機能を発揮できる大きさのダンパを用いることができる。
【００２４】
また、請求項６によれば、ダンパの表面に環状のダンパ調整板を固着してダンパ特性を調整するようにしたものであり、ダンパ調整板の大きさ、固着する数、固着位置などを変えることにより最適なダンパ機能を発揮することができる。
【００２５】
また、請求項７によれば、ダンパ特性調整手段（ダンパ固着部材）と振動板との間に配設される錦糸線をダンパ固着部材に固定することにより、振動板との隙間寸法を確保でき、最大振幅時においても振動板とダンパおよび錦糸線との干渉を防止することができる。また、錦糸線の長さが短縮されるので、錦糸線のバタツキも防止できる。
【発明を実施するための最良の形態】
【００２６】
本発明のスピーカユニットは、従来のスピーカユニットのダンパ特性を容易に制御できるようにした発明であり、ダンパに関連する構成部品以外は従来のスピーカユニットと略同じであり、背景技術で説明をしたので、同じ構成については従来のスピーカユニットと同じ符号を付し説明を省略または簡略説明とし発明の部分を重点に説明する。以下に本発明の適用事例の一部を図１乃至図１２を用いて説明する。
（実施の形態１）
【００２７】
本発明の実施の形態１を図１、図２、図３、図４、図５および図１２を用いて説明する。図１は本発明の実施の形態１のスピーカユニットを示す概略図で、（ａ）平面図、（ｂ）Ｃ−Ｃ断面拡大図である。図２は実施の形態１と一部が異なるダンパ特性調整部品を示す概略図で、（ａ）平面図、（ｂ）Ｄ−Ｄ断面図である。尚、図１２は従来のスピーカユニット１９を示す概略側断面図である。１０はスピーカユニットの要部で、図１で示すように振動板２０、エッジ２１、ダンパ４０、ボイスコイル２６が巻回されたボイスコイルボビン２５、スピーカフレーム３０、ダンパ特性調整部品５０および磁気回路部９０などにより構成されている。
【００２８】
ダンパ特性調整部品５０（ダンパ特性調整手段に相当）は、ダンパ４０の有効可動部の範囲を調整するための部品で、円板の外周縁部よりダンパ固定部５１が立設した皿状をしており、円板の中心部にはボイスコイルボビン２５に係合する孔が形成されている。ダンパ特性調整部品５０は、樹脂などの軽量部材で形成されるが、軽量化を図るため必要により円板部に複数の軽量孔を設けることもできる。また、ダンパ固定部５１を図２で示すように、例えば、等間隔に４箇所または三箇所などの複数箇所に分割して設けるようにすることによりさらに軽量化が図れる。
【００２９】
ここで、ダンパ４０およびダンパ特性調整部品５０の取付けについて説明する。
【００３０】
ダンパ４０の内周縁部（孔）４１を、ボイスコイルボビン２５に挿通して略中央部近傍に固着し、ダンパ４０の外周縁部４２を、スピーカフレーム３０のダンパ固着部３２に固着して、ボイスコイルボビン２５を弾性的に保持する。ダンパ特性調整部品５０はボイスコイルボビン２５とスピーカフレーム３０に固着されたダンパ４０の上方から、ダンパ特性調整部品５０の孔をボイスコイルボビン２５に挿通する。そして、ダンパ固定部５１の先端部がダンパ４０に当接する位置で、ダンパ特性調整部品５０の孔とボイスコイルボビン２５、および、ダンパ特性調整部品５０の先端部とダンパ４０との当接部の二箇所を接着剤で固着する。
【００３１】
ダンパ４０にダンパ特性調整部品５０が固着されると、ダンパ固定部５１の先端部とボイスコイルボビン２５との範囲Ｂは、ボイスコイルボビン２５が振動してもダンパ特性調整部品５０により振動が規制され固定部となる。また、ダンパ固定部５１の先端部とスピーカフレーム３０のダンパ固着部３２との範囲Ａは、ボイスコイルボビン２５が振動するとダンパ４０が振動する可動部となる。したがって、ダンパ４０はダンパ特性調整部品５０により振動する可動部と振動が固定された固定部となるので、ダンパ４０の可動部を最適径になるように調整すれば、ダンパ４０の外形寸法を調整しなくても最適なダンパ特性を得ることができる。尚、可動部と固定部との関係は実験値などにより最適な範囲を定めるのが望ましい。
【００３２】
また、上述のダンパ特性調整部品５０の取付け方の他に、ボイスコイルボビン２５にダンパ特性調整部品５０のダンパ固定部５１を上方に向けて挿通し所定の位置に固着する。次にダンパ４０の内周縁部（孔）４１をボイスコイルボビン２５に挿通し、内周縁部４１とダンパ固定部５１の二箇所を接着剤で固着する。即ち、ダンパ特性調整部品５０をダンパ４０の下方（図１（ｂ）とは逆方向）に設けることもできる。
【００３３】
以上説明したように、本発明の実施の形態１のダンパ特性調整部品５０によれば、従来用いられていたダンパ４０に、ダンパ特性調整部品５０を固着することにより、ダンパ４０が可動部と固定部とに規制され、ダンパ４０の径が最適径になるので、所望するダンパ特性（最適な振動）を得ることができる。したがって、音質のよい音を発生するスピーカユニット１０を得ることができる。その他に、ダンパ特性調整部品５０を用いることにより、ダンパ４０の外形寸法がボイスコイルボビン２５の外径寸法やスピーカフレーム３０の寸法などにより規制されることなく最適なダンパ特性を安価で得ることができる。また、ダンパ特性調整部品５０を用いることにより振動板２０との隙間寸法を確保することができるので、最大振幅時においても振動板２０とダンパ４０との干渉を防止することができる。
【００３４】
次に実施の形態１に関連する別の実施例３件について図３、図４および図５を用いて説明する。
【００３５】
図３について説明する。図３は図１と一部が異なる第１例のスピーカユニットを示す概略側断面図である。５３はダンパ特性調整部品で、略円環状の内周縁部よりダンパ固定部５４が立設しており、外周縁部５５がスピーカフレーム３０のダンパ固着部３２に固着される。尚、ダンパ特性調整部品５３はボイスコイルボビン２５とスピーカフレーム３０のダンパ固着部３２に固着されたダンパ４０の上方から、ダンパ特性調整部品５３に形成されたダンパ固定部５４の先端部が、ダンパ４０の所定の位置に当接するように被せ、外周縁部５５とダンパ固着部３２および先端部とダンパ４０の二箇所を接着剤で固着する。
【００３６】
ダンパ４０にダンパ特性調整部品５３が固着されると、ダンパ固定部５４の先端部とスピーカフレーム３０のダンパ固着部３２との範囲Ｂは、ボイスコイルボビン２５が振動してもダンパ特性調整部品５３により振動が規制され固定部となる。また、ダンパ固定部５４の先端部とボイスコイルボビン２５との範囲Ａは、ボイスコイルボビン２５が振動するとダンパ４０が駆動する可動部となる。したがって、ダンパ４０はダンパ特性調整部品５３により振動する可動部と振動が固定された固定部となり、ダンパ４０が最適径になるように規制することができる。したがって、ダンパ特性調整部品５３を用いた場合においても、図１のダンパ特性調整部品５０を用いた場合と同じように、音質のよい音を発生するスピーカユニット１０を得ることができる。また、ダンパ特性調整部品５３の一端がスピーカフレーム３０のダンパ固着部３２に固定されるので、駆動部に重量的負担が加わることはない。尚、図１のダンパ特性調整部品５０と図３のダンパ特性調整部品５３とを組み合わせた調整方法を用いることにより、さらにダンパ特性の調整効果得ることができる。
【００３７】
図４について説明する。図４は図１と一部が異なる第２例のスピーカユニットを示す概略側断面図である。６１はダンパ特性調整部品で、円筒形状をしており一方の先端部をダンパ４０の所定の位置の下面側に当接するように位置決めし、他方の端部がスピーカフレーム３０の終端部３３の内面に、それぞれを接着剤で固着する。
【００３８】
ダンパ４０にダンパ特性調整部品６１が固着されると、ダンパ固定部６１の先端部とスピーカフレーム３０のダンパ固着部３２との範囲Ｂは、ボイスコイルボビン２５が振動してもダンパ特性調整部品６１により振動が規制され固定部となる。また、ダンパ固定部５４の先端部とボイスコイルボビン２５との範囲Ａは、ボイスコイルボビン２５が振動するとダンパ４０が駆動する可動部となる。したがって、ダンパ特性調整部品６１を用いた場合においても図１のダンパ特性調整部品５０を用いた場合と同じように、音質のよい音を発生するスピーカユニット１０を得ることができる。ダンパ特性調整部品６１の一端がスピーカフレーム３０の終端部３３の内面に固定されるので、駆動部に重量的負担が加わることはない。尚、ダンパ特性調整部品６１の直径寸法を増減することにより、可動部と固定部との範囲を調整することができる。
【００３９】
図５について説明する。図５は図１と一部が異なる第３例のスピーカユニットを示す概略図で、（ａ）平面図、（ｂ）Ｅ−Ｅ断面拡大図である。６０はダンパ特性調整部品で、円筒形状をしており一方の端部を振動板２０の裏面側の所定の位置に接着剤で固着し、他方の先端部をボイスコイルボビン２５とスピーカフレーム３０のダンパ固着部３２に固着されたダンパ４０の上面に当接させ接着剤で固着する。ダンパ４０にダンパ特性調整部品６０が固着されると、ダンパ固定部６１の先端部とスピーカフレーム３０のダンパ固着部３２との範囲Ａは、ボイスコイルボビン２５が振動するとダンパ４０が駆動する可動部となる。また、ダンパ固定部６１の先端部とボイスコイルボビン２５との範囲Ｂは、ボイスコイルボビン２５が振動してもダンパ特性調整部品６０により振動が規制され固定部となる。したがって、ダンパ特性調整部品６０を用いた場合においても図１の５０を用いた場合と同じように、音質のよい音を発生するスピーカユニット１０を得ることができる。また、ダンパ特性調整部品６０を用いることにより振動板２０とダンパ４０との隙間寸法を確保することができるので、最大振幅時においても振動板２０とダンパ４０との干渉を防止することができる。
（実施の形態２）
【００４０】
本発明の実施の形態２を図６乃至図９を用いて説明する。図６は本発明の実施の形態２のスピーカユニットを示す概略側断面図である。尚、実施例２は実施例１の一部を変更したものであり、実施例１と同じ構成については同じ符号を付し説明を省略する。
【００４１】
１３はスピーカユニットの要部で、図６で示すように振動板２０、エッジ２１、ダンパ４５、ボイスコイル２６が巻回されたボイスコイルボビン２５、スピーカフレーム３０、ダンパ固着部品６３および磁気回路部９０などにより構成されている。
【００４２】
ダンパ固着部品６３は、ダンパ４５の内周縁部４７が固着される部品で、有底の円筒の開口部から外周方向に延在するフランジ状のダンパ固着部６４が形成されている。円筒の内径はボイスコイルボビン２５の外径に係合するように形成されており、係合させた後に接着剤で固着する。
【００４３】
ダンパ４５は、内周縁部４７がボイスコイルボビン２５に固着されたダンパ固着部品６３のダンパ固着部６４に接着剤で固着され、外周縁部４６がスピーカフレーム３０のダンパ固着部３２に接着剤で固着される。したがって、ダンパ固着部品６３のダンパ固着部６４とスピーカフレーム３０のダンパ固着部３２との範囲Ａが、ダンパ４５の可動部となる。したがって、範囲Ａを変えることによりダンパ特性を調整することができる。その方法としては、例えばダンパ固着部品６３のダンパ固着部６４とダンパ４５の寸法を変えることも一つの方法である。尚、振動板２０の内周縁部がダンパ固着部品６３の円筒部に接着剤で固着される。
【００４４】
以上説明したように、本発明の実施の形態２のダンパ固着部品６３によれば、ダンパ固着部品６３を用いることにより、実施の形態１と同じように音質のよい音を発生させることができる。また、ダンパ固着部品６３を用いることにより振動板２０との隙間寸法を確保することができるので、最大振幅時においても振動板２０とダンパ４５との干渉を防止することができる。
【００４５】
次に実施の形態２に関連する別の実施例３件について図７、図８および図９を用いて説明する。
【００４６】
図７について説明する。図７は図６と一部が異なる第１例のスピーカユニットを示す概略側断面図である。６５はダンパ固着部品で、略円環状に形成された板状部材であり、その外周縁部がスピーカフレーム３０のダンパ固着部３２に接着剤で固着され、内周縁部にはダンパ８０が固着されるダンパ固着部６６が形成されている。
【００４７】
ダンパ８０は、内周縁部８１がボイスコイルボビン２５に接着剤で固着され、ダンパ８０の外周縁部８２がスピーカフレーム３０に固着されたダンパ固着部品６５のダンパ固着部６６に接着剤で固着される。したがって、ダンパ固着部品６５のダンパ固着部６６とボイスコイルボビン２５との範囲Ａが、ダンパ８０の可動部となる。したがって、範囲Ａを変えることによりダンパ特性を調整することができる。その方法としては、例えばダンパ固着部品６５のダンパ固着部６６とダンパ８０の寸法を変えることも一つの方法である。尚、振動板２０の内周縁部がボイスコイルボビン２５に接着剤で固着される。
【００４８】
したがって、ダンパ固着部品６５を用いた場合においても、図６の実施の形態２と同じように音質のよい音を発生するスピーカユニット１３を得ることができる。その他にダンパ固着部品６５の一端がスピーカフレーム３０に固着されるので、駆動部に重量的負担が加わることはない。
【００４９】
図８について説明する。図８は図６と一部が異なる第２例のスピーカユニットを示す概略側断面図である。図８は図６のダンパ固着部品６３と図７のダンパ固着部品６５とを組み合わせて用いたもので、ダンパ７２の内周縁部７３がボイスコイルボビン２５に固着されたダンパ固着部品６３のダンパ固着部６４に接着剤で固着され、ダンパ７２の外周縁部７４がスピーカフレーム３０に固着されたダンパ固着部品６５のダンパ固着部６６に接着剤で固着され、ダンパ固着部６４とダンパ固着部６６との範囲Ａがダンパ７２の可動部となる。したがって、ダンパ固着部品６３とダンパ固着部品６５とを組み合わせた構成においても、図６の実施の形態２と同じように音質のよい音を発生するスピーカユニット１３を得ることができる。
【００５０】
図９について説明する。図９は図６と一部が異なる第３例のスピーカユニットを示す概略側断面図である。７０はダンパ固着部品で、円筒の一方の端部から外周方向に延在するフランジ状のダンパ固着部７１が形成されている。ダンパ固着部品７０は振動板２０の裏面側の所定の位置に接着剤で固着され、ダンパ５６の内周縁部５７がダンパ固着部品７０のダンパ固着部７１に接着剤で固着され、ダンパ５６の外周縁部５８がスピーカフレーム３０のダンパ固着部３２に接着剤で固着される。ダンパ固着部７１とダンパ固着部３２との範囲Ａがダンパ５６の可動部となる。したがって、図９のダンパ固着部品７０を用いた場合においても、図６の実施の形態２と同じように音質のよい音を発生するスピーカユニット１３を得ることができる。
（実施の形態３）
【００５１】
本発明の実施の形態３を図１０を用いて説明する。図１０は本発明の実施の形態３のスピーカユニットを示す概略側断面図である。
【００５２】
１５はスピーカユニットの要部で、図１０で示すように振動板２０、エッジ２１、ダンパ４０、ボイスコイル２６が巻回されたボイスコイルボビン２５、スピーカフレーム３０、ダンパ特性調整板７５および磁気回路部９０などにより構成されている。
【００５３】
７５はダンパ特性調整板で、円環状の板でボイスコイルボビン２５とスピーカフレーム３０との間に設けられたダンパ４０の表面（表裏何れでも可）の所定の位置に固着してダンパ４０の特性を調整する部品である。即ち、ダンパ特性調整板７５が固着されている範囲Ｂがダンパ４０の固定部となり、ダンパ特性調整板７５が固着されていない範囲Ａがダンパ４０の可動部となる。したがって、ダンパ特性を調整するためにはダンパ特性調整板７５は円環寸法を変えたり、または、ダンパ特性調整板７５をダンパ４０の所望する位置に一箇所または複数個所に用いることもできる。また、ダンパ特性調整板７５の材質や厚みを変えことにより、ダンパ特性の調整範囲を広げることができる。
【００５４】
以上説明したように、本発明の実施の形態３のダンパ特性調整板７５によれば、簡潔で安価なダンパ特性調整板７５を用いることにより、実施の形態１，２と同じような音質のよい音を発生させることができる。
（実施の形態４）
【００５５】
本発明の実施の形態４を図１１を用いて説明する。図１１は、本発明の実施の形態４のスピーカユニットを示す概略側断面図である。
１７はスピーカユニットの要部で、図１１で示すように振動板２０、エッジ２１、ダンパ４０、ボイスコイル２６が巻回されたボイスコイルボビン２５、スピーカフレーム３０、ダンパ固着部品５０、音声信号の入力線となる錦糸線７７および磁気回路部９０などにより構成されている。
【００５６】
スピーカユニット１７は、上述した実施の形態の図１で説明したスピーカユニット１０の振動板２０とダンパ４０との間に配設された錦糸線７７が固定されたものである。錦糸線７７は、ボイスコイルボビン２５に固定されたダンパ固着部品５０の上面に接着剤で固着されている。
【００５７】
以上説明したように、本発明の実施の形態４のスピーカユニット１７によれば、錦糸線７７がダンパ固着部品５０の上面に接着されるので、振動板２０との隙間寸法を確保することができるので、最大振幅時においても振動板２０とダンパ４０および錦糸線７７との干渉を防止することができる。また、錦糸線７７の長さを短くすることができるので、錦糸線７７のバタツキを防止することもできる。したがって、図1の実施の形態１と同じように音質のよい音を発生させることができる。
【図面の簡単な説明】
【００５８】
【図１】本発明の実施の形態１のスピーカユニットを示す概略図である。
【図２】実施の形態１と一部が異なるダンパ特性調整部品を示す概略図である。
【図３】図１と一部が異なる第１例のスピーカユニットを示す概略側断面図である。
【図４】図１と一部が異なる第２例のスピーカユニットを示す概略側断面図である。
【図５】図１と一部が異なる第３例のスピーカユニットを示す概略図である。
【図６】本発明の実施の形態２のスピーカユニットを示す概略側断面図である。
【図７】図６と一部が異なる第１例のスピーカユニットを示す概略側断面図である。
【図８】図６と一部が異なる第２例のスピーカユニットを示す概略側断面図である。
【図９】図６と一部が異なる第３例のスピーカユニットを示す概略側断面図である。
【図１０】本発明の実施の形態３のスピーカユニットを示す概略側断面図である。
【図１１】本発明の実施の形態４のスピーカユニットを示す概略側断面図である。
【図１２】従来のスピーカユニットを示す概略側断面図である。
【符号の説明】
【００５９】
１０、１３、１５、１７、１９・・・スピーカユニット
２０・・・振動板
２１・・・エッジ
２５・・・ボイスコイルボビン
２６・・・ボイスコイル
３０・・・スピーカフレーム
３１・・・エッジ固着部
３２、６４，６６・・・ダンパ固着部
３３・・・終端部
４０、４５、５６、７２、８０・・・ダンパ
４１、４７、５７、７３、８１・・・内周縁部
４２、５５、５８、７４、８２・・・外周縁部
５０、５３、６０、６１・・・ダンパ特性調整部品
５１、５４・・・ダンパ固定部
７５・・・ダンパ特性調整板
７７・・・錦糸線
９０・・・磁気回路部
９１・・・ヨーク
９２・・・センターポール
９５・・・マグネット
９６・・・トッププレート
Ａ、Ｂ・・・範囲
【図１】
2007088649.tif 000003
【図２】
2007088649.tif 000004
【図３】
2007088649.tif 000005
【図４】
2007088649.tif 000006
【図５】
2007088649.tif 000007
【図６】
2007088649.tif 000008
【図７】
2007088649.tif 000009
【図８】
2007088649.tif 000010
【図９】
2007088649.tif 000011
【図１０】
2007088649.tif 000012
【図１１】
2007088649.tif 000013
【図１２】
2007088649.tif 000014